(57)【要約】【課題】  対物レンズの中心をレーザ光の光軸に一致させること。【解決手段】  対物レンズＯＬとフォーカスコイル６及びトラッキングコイル７とを配置したレンズホルダ８のボス部８ａが基台３上のシャフト２にフォーカス方向ａ，ｂ及びトラッキング方向ｃ，ｄに移動可能に嵌合され、レンズホルダ８を挟んで対向する一対の永久磁石９とレンズホルダ８のボス部８ａに外嵌させた磁性体１０とによる磁気ばねでレンズホルダ８を浮上させ、レーザ光を対物レンズＯＬを通ってディスクに投射するようにした光ピックアップにおいて、前記両永久磁石９がシャフト２に回転可能に係合する連結板１２に取り付けられており、該連結板１２をシャフト２回りでわずかに回転させて対物レンズＯＬの中心Ｏ１をレーザ光の光軸Ｏ２に一致させ、連結板１２とストッパ片３ｂとの間に接着剤ＵＶを充填して該連結板１２を基台３に固定する。【選択図】        図４
2005092998.tif 000002
【特許請求の範囲】
【請求項１】
対物レンズとフォーカスコイル及びトラッキングコイルとを配置した
レンズホルダの中央に形成したボス部が光ピックアップ本体に止着した基台上のシャフト
にフォーカス方向及びトラッキング方向に移動可能に嵌合され、前記レンズホルダを間に
挟んで対向する一対の永久磁石が基台に固定されると共に、前記ボス部に磁性体が外嵌さ
れ、その磁性体と両永久磁石とによる磁気ばねでレンズホルダを浮上させ、該レンズホル
ダの対物レンズに対向して光ピックアップ本体にコリメータレンズが配置されており、光
ピックアップ本体内からレーザ光をコリメータレンズ及び対物レンズを通ってディスクに
投射するようにした光ピックアップにおいて、前記コリメータレンズを省略し、前記両永
久磁石が基台から切り離して前記シャフトに回転可能に係合する連結板に取り付けられ、
該連結板の一端部に操作片が突設されると共に、その連結板の他端部に接近して基台から
ストッパ片が切り起こされており、前記操作片を操作して連結板をシャフト回りでわずか
に回転させてレンズホルダの向きをシャフト回りで微調整することにより対物レンズの中
心を前記レーザ光の光軸に一致させ、連結板の他端部とストッパ片との間に接着剤を充填
して該連結板を基台に固定することを特徴とする光ピックアップ。
【請求項２】
対物レンズとフォーカスコイル及びトラッキングコイルとを配置した
レンズホルダが基台にフォーカス方向及びトラッキング方向に移動可能に支持され、前記
レンズホルダを一対の永久磁石で磁気ばねにより浮上させており、レーザ光を対物レンズ
を通ってディスクに投射するようにした光ピックアップにおいて、前記両永久磁石が連結
手段を介して基台に移動可能に連結されており、その連結手段を操作して両永久磁石をわ
ずかに移動させてレンズホルダの向きを微調整することにより対物レンズの中心を前記レ
ーザ光の光軸に一致させ、その連結手段を基台に固定することを特徴とする光ピックアッ
プ。
【請求項３】
前記レンズホルダの下面中央に突設したボス部が基台上のシャフトに
フォーカス方向及びトラッキング方向に移動可能に嵌合され、前記連結手段が、前記シャ
フトに回転可能に係合する連結板からなり、該連結板の両端部に永久磁石が取り付けられ
る共に、前記ボス部に磁性体が外嵌され、その磁性体と両永久磁石とによる磁気ばねでレ
ンズホルダを浮上させ、連結板をシャフト回りでわずかに回転させてレンズホルダの向き
をシャフト回りで微調整することにより対物レンズの中心を前記レーザ光の光軸に一致さ
せるようにしたことを特徴とする請求項２に記載の光ピックアップ。
【請求項４】
前記連結板の一端部に操作片が突設されると共に、その連結板の他端
部に接近して基台からストッパ片が切り起こされており、操作片を操作して連結板をシャ
フト回りでわずかに回転させてレンズホルダの向きをシャフト回りで微調整することによ
り対物レンズの中心を前記レーザ光の光軸に一致させ、連結板の他端部とストッパ片との
間に接着剤を充填して該連結板を基台に固定することを特徴とする請求項３に記載の光ピ
ックアップ。
【請求項５】
前記レンズホルダが弾性リンク機構を介して基台にフォーカス方向及
びトラッキング方向に移動可能に支持され、前記連結手段が、中央部を基台に枢着軸を介
して枢着させた二股状連結アームからなり、該連結アームの両端部に永久磁石が取り付け
られており、その連結アームを枢着軸回りでわずかに回転させてレンズホルダの向きを微
調整することにより対物レンズの中心を前記レーザ光の光軸に一致させ、連結アームと基
台との間に接着剤を充填して該連結アームを基台に固定することを特徴とする請求項２に
記載の光ピックアップ。
【発明の詳細な説明】
【技術分野】
【０００１】
本発明は、例えばＣＤやＤＶＤなどのディスクプレーヤに用いる光ピックアップに関し
、特に、対物レンズの中心をレーザ光の光軸に一致させるようにしたものである。
【背景技術】
【０００２】
従来、光ピックアップの技術として特許文献１などに記載したものがあり、その一例を
図６から図８に基づいて説明すると、これは、光ピックアップ本体１にシャフト２付き金
属板製基台３が複数の調整ねじ４とばね５とにより止着され、対物レンズＯＬとフォーカ
スコイル６及びトラッキングコイル７とを配置したレンズホルダ８の下面中央に形成した
ボス部８ａがシャフト２にフォーカス方向ａ，ｂ及びトラッキング方向ｃ，ｄに移動可能
に嵌合され、レンズホルダ８を間に挟んで対向する一対の永久磁石９が基台３から切り起
こした支持片３ａに固定され、前記ボス部８ａに上下一対の磁性体１０が外嵌され、その
磁性体１０と両永久磁石９とによる磁気ばねでレンズホルダ８を浮上させ、レンズホルダ
８の対物レンズＯＬに対向して光ピックアップ本体１にコリメータレンズＱＷＰが配置さ
れている。
【０００３】
上記構成において、光ピックアップ本体１からレーザ光をコリメータレンズＱＷＰ及び
対物レンズＯＬを通ってディスクＤに投射し、その反射光をフォトダイオード（図示せず
）で受光することにより、ディスクＤに記録されている情報を読み取る。
【特許文献１】実用新案登録第３０８８５３２号公報
【発明の開示】
【発明が解決しようとする課題】
【０００４】
上記従来の構成では、磁性体１０と両永久磁石９とによる磁気ばねでレンズホルダ８を
浮上させることにより、該レンズホルダ８に配置した対物レンズＯＬの中心Ｏ１がレーザ
光の光軸Ｏ２と一致するように設計されているが、両永久磁石９が基台３に固定されて、
該両永久磁石９と磁性体１０との位置関係を微調整することができないため、製造誤差や
組立誤差により磁気ばねで浮上させたレンズホルダ８の向きが所定方向から外れて対物レ
ンズＯＬの中心Ｏ１がレーザ光の光軸Ｏ２からずれることがあり、これでは、中心Ｏ１の
ずれの発生により、ディスクＤに記録されている情報を正確に読み取ることが困難になる
。そこで、コリメータレンズＱＷＰを用いて、中心Ｏ１のずれを許容範囲内に収めるよう
にしているが、これでは、コリメータレンズＱＷＰを用いている分だけ部品点数が増加し
て高価になる。
【０００５】
本発明は、上記従来の欠点に鑑み、対物レンズの中心をレーザ光の光軸に一致させるよ
うにした光ピックアップを提供することを目的としている。
【課題を解決するための手段】
【０００６】
上記目的を達成するため、請求項１記載の発明は、対物レンズとフォーカスコイル及び
トラッキングコイルとを配置したレンズホルダの中央に形成したボス部が光ピックアップ
本体に止着した基台上のシャフトにフォーカス方向及びトラッキング方向に移動可能に嵌
合され、前記レンズホルダを間に挟んで対向する一対の永久磁石が基台に固定されると共
に、前記ボス部に磁性体が外嵌され、その磁性体と両永久磁石とによる磁気ばねでレンズ
ホルダを浮上させ、該レンズホルダの対物レンズに対向して光ピックアップ本体にコリメ
ータレンズが配置されており、光ピックアップ本体内からレーザ光をコリメータレンズ及
び対物レンズを通ってディスクに投射するようにした光ピックアップにおいて、前記コリ
メータレンズを省略し、前記両永久磁石が基台から切り離して前記シャフトに回転可能に
係合する連結板に取り付けられ、該連結板の一端部に操作片が突設されると共に、その連
結板の他端部に接近して基台からストッパ片が切り起こされており、前記操作片を操作し
て連結板をシャフト回りでわずかに回転させてレンズホルダの向きをシャフト回りで微調
整することにより対物レンズの中心を前記レーザ光の光軸に一致させ、連結板の他端部と
ストッパ片との間に接着剤を充填して該連結板を基台に固定することを特徴としている。
【０００７】
請求項２記載の発明は、対物レンズとフォーカスコイル及びトラッキングコイルとを配
置したレンズホルダが基台にフォーカス方向及びトラッキング方向に移動可能に支持され
、前記レンズホルダを一対の永久磁石で磁気ばねにより浮上させており、レーザ光を対物
レンズを通ってディスクに投射するようにした光ピックアップにおいて、前記両永久磁石
が連結手段を介して基台に移動可能に連結されており、その連結手段を操作して両永久磁
石をわずかに移動させてレンズホルダの向きを微調整することにより対物レンズの中心を
前記レーザ光の光軸に一致させ、その連結手段を基台に固定することを特徴としている。
【０００８】
請求項３に記載の発明は、請求項２に記載の発明において、前記レンズホルダの下面中
央に突設したボス部が基台上のシャフトにフォーカス方向及びトラッキング方向に移動可
能に嵌合され、前記連結手段が、前記シャフトに回転可能に係合する連結板からなり、該
連結板の両端部に永久磁石が取り付けられる共に、前記ボス部に磁性体が外嵌され、その
磁性体と両永久磁石とによる磁気ばねでレンズホルダを浮上させ、連結板をシャフト回り
でわずかに回転させてレンズホルダの向きをシャフト回りで微調整することにより対物レ
ンズの中心を前記レーザ光の光軸に一致させるようにしたことを特徴としている。
【０００９】
請求項４に記載の発明は、請求項３に記載の発明において、前記連結板の一端部に操作
片が突設されると共に、その連結板の他端部に接近して基台からストッパ片が切り起こさ
れており、操作片を操作して連結板をシャフト回りでわずかに回転させてレンズホルダの
向きをシャフト回りで微調整することにより対物レンズの中心を前記レーザ光の光軸に一
致させ、連結板の他端部とストッパ片との間に接着剤を充填して該連結板を基台に固定す
ることを特徴としている。
【００１０】
請求項５に記載の発明は、請求項２に記載の発明において、前記レンズホルダが弾性リ
ンク機構を介して基台にフォーカス方向及びトラッキング方向に移動可能に支持され、前
記連結手段が、中央部を基台に枢着軸を介して枢着させた二股状連結アームからなり、該
連結アームの両端部に永久磁石が取り付けられており、その連結アームを枢着軸回りでわ
ずかに回転させてレンズホルダの向きを微調整することにより対物レンズの中心を前記レ
ーザ光の光軸に一致させ、連結アームと基台との間に接着剤を充填して該連結アームを基
台に固定することを特徴としている。
【発明の効果】
【００１１】
請求項１に記載の発明は第１の実施の形態（図１から図４参照）に対応するものであっ
て、これによれば、両永久磁石が基台上のシャフトに回転可能に係合する連結板に取り付
けられているから、レンズホルダのボス部に外嵌させた磁性体と両永久磁石とによる磁気
ばねで浮上させたレンズホルダの向きが所定方向から外れて対物レンズの中心がレーザ光
の光軸からずれている場合には、連結板をシャフト回りでわずかに回転させて両永久磁石
の位置を変更することにより、レンズホルダの向きをシャフト回りで微調整して対物レン
ズの中心をレーザ光の光軸に一致させることができ、これによって、コリメータレンズを
用いなくてもディスクに記録されている情報を正確に読み取ることができ、コリメータレ
ンズを省略した分だけ部品点数を少なくしてコストダウンを図ることができる。
【００１２】
また、前記連結板の一端部に操作片が突設されているので、その操作片を操作すること
により、対物レンズの調整作業を精密に行うことができると共に、連結板の他端部と基台
から切り起こしたストッパ片との間に接着剤を充填して該連結板を基台に固定することに
より、対物レンズの中心をレーザ光の光軸に一致させた状態を確実に保持することができ
る。
【００１３】
請求項２に記載の発明によれば、両永久磁石が連結手段を介して基台に移動可能に連結
されているので、磁気ばねで浮上させたレンズホルダの向きが所定方向から外れて対物レ
ンズの中心がレーザ光の光軸からずれている場合には、連結手段を操作して両永久磁石の
位置を変更することにより、レンズホルダの向きを微調整して対物レンズの中心をレーザ
光の光軸に一致させることができ、これによって、コリメータレンズを用いなくてもディ
スクに記録されている情報を正確に読み取ることができ、コリメータレンズを省略した分
だけ部品点数を少なくしてコストダウンを図ることができる。
【００１４】
請求項３に記載の発明によれば、レンズホルダを基台上のシャフトにフォーカス方向及
びトラッキング方向に移動可能に嵌合させるタイプの光ピックアップにおいて、両永久磁
石を両端部に取り付けた連結板をシャフト回りでわずかに回転させるだけで、両永久磁石
の位置を変更して、レンズホルダの向きをシャフト回りで微調整して対物レンズの中心を
レーザ光の光軸に容易に一致させることができる。
【００１５】
請求項４に記載の発明によれば、連結板の一端部に操作片が突設されているので、その
操作片を操作することにより、対物レンズの調整作業を精密に行うことができると共に、
連結板の他端部と基台から切り起こしたストッパ片との間に接着剤を充填して該連結板を
基台に固定することにより、対物レンズの中心をレーザ光の光軸に一致させた状態を確実
に保持することができる。
【００１６】
請求項５に記載の発明は第２の実施の形態（図５参照）に対応するものであって、これ
によれば、レンズホルダが弾性リンク機構を介して基台にフォーカス方向及びトラッキン
グ方向に移動可能に支持されたタイプの光ピックアップにおいて、両永久磁石を両端部に
取り付けた連結アームを枢着軸回りでわずかに回転させてレンズホルダの向きを微調整す
るだけで、対物レンズの中心をレーザ光の光軸に容易に一致させることができると共に、
連結アームと基台との間に接着剤を充填して該連結アームを基台に固定することにより、
対物レンズの中心をレーザ光の光軸に一致させた状態を確実に保持することができる。
【発明を実施するための最良の形態】
【００１７】
図１から図４は本発明の第１の実施の形態である光ピックアップを示すものであって、
レンズホルダ８を基台３上のシャフト２にフォーカス方向ａ，ｂ及びトラッキング方向ｃ
，ｄに移動可能に嵌合させるタイプであり、略コ字状に形成した連結板１２の中央水平部
１２ａの中心貫通孔１３がシャフト２の上端小径部２ａに回転可能に係合され、両永久磁
石９が連結板１２の両端部１２ｂ，１２ｃに取り付けられ、該連結板１２の一端部１２ｂ
に操作片１２ｄが突設されると共に、その連結板１２の他端部１２ｃに接近して基台３か
らストッパ片３ｂが切り起こされている。上記以外の構成は図６から図８に示す構成とほ
ぼ同じであるから、同一部分に同一符号を付してその説明を省略する。
【００１８】
対物レンズＯＬの調整手順を説明すると、工場の出荷前の検査工程で、磁性体１０と両
永久磁石９とによる磁気ばねによりレンズホルダ８を浮上させ、光ピックアップ本体１か
らレーザ光を対物レンズＯＬを通って介してディスクＤに投射し、その反射光を検査器で
受光することにより、対物レンズＯＬの中心Ｏ１がレーザ光の光軸Ｏ２からずれている場
合には、操作片１２ｄを操作して連結板１２をシャフト２回りでわずかに回転させて両永
久磁石９の位置を変更することにより、レンズホルダ８の向きをシャフト２回りで微調整
し、対物レンズＯＬの中心Ｏ１をレーザ光の光軸Ｏ２に一致させる。その後、連結板１２
の他端部１２ｃとストッパ片３ｂとの間に紫外線硬化性接着剤ＵＶを充填し、その接着剤
ＵＶを紫外線の照射により硬化させて連結板１２を基台３に固定する。
【００１９】
上記構成によれば、レンズホルダ８の向きをシャフト２回りで微調整して対物レンズＯ
Ｌの中心Ｏ１をレーザ光の光軸Ｏ２に一致させるようになっているから、コリメータレン
ズＱＷＰ（図７参照）を用いなくてもディスクＤに記録されている情報を正確に読み取る
ことができ、そのコリメータレンズＱＷＰを省略した分だけ部品点数を少なくしてコスト
ダウンを図ることができる。
【００２０】
また、操作片１２ｄを操作することにより、対物レンズＯＬの調整作業を精密に行うこ
とができると共に、連結板１２の他端部１２ｃとストッパ片３ｂとの間に接着剤ＵＶを充
填して該連結板１２を基台３に固定することにより、対物レンズＯＬの中心Ｏ１をレーザ
光の光軸Ｏ２に一致させた状態を確実に保持することができる。
【００２１】
上記第１の実施の形態では、連結板１２を基台３に固定するために、基台３から切り起
こしたストッパ片３ｂと連結板１２の他端部１２ｃとの間に接着剤ＵＶを充填するように
したが、これに限定されるわけではなく、図２に仮想線で示すように、シャフト２の上端
小径部２ａと連結板１２の中央水平部１２ａとの間に紫外線硬化性接着剤ＵＶを充填して
該連結板１２をシャフト２を介して基台３に固定するようにしてもよく、これによれば、
ストッパ片３ｂが不要であるから、その不要となった分だけ構造を簡略化することができ
る。
【００２２】
図５は本発明の第２の実施の形態である光ピックアップを示すものであって、レンズホ
ルダ８が４本の弾性ワイヤ１４ａからなる弾性リンク機構１４を介して基台３にフォーカ
ス方向ａ，ｂ及びトラッキング方向ｃ，ｄに移動可能に支持されたタイプであり、両永久
磁石９が中央部を基台３に枢着軸１５を介して枢着させた二股状連結アーム１６の両端部
に取り付けられている。上記以外の構成は第１の実施の形態とほぼ同じであるから、同一
部分に同一符号を付してその説明を省略する。
【００２３】
対物レンズＯＬの調整手順は第１の実施の形態とほぼ同じであって、対物レンズＯＬの
中心Ｏ１がレーザ光の光軸Ｏ２からずれている場合には、連結アーム１６を枢着軸１５回
りでわずかに回転させて両永久磁石９の位置を変更することにより、レンズホルダ８の向
きを微調整して対物レンズＯＬの中心Ｏ１をレーザ光の光軸Ｏ２に一致させる。その後、
連結アーム１６と基台３との間に紫外線硬化性接着剤ＵＶを充填し、その接着剤ＵＶを紫
外線の照射により硬化させて連結アーム１６を基台３に固定する。
【００２４】
上記構成によれば、第１の実施の形態とほぼ同様の効果を得ることができ、特に、両永
久磁石９を両端部に取り付けた連結アーム１６を枢着軸１５回りでわずかに回転させてレ
ンズホルダ８の向きを微調整するだけで、対物レンズＯＬの中心Ｏ１をレーザ光の光軸Ｏ
２に容易に一致させることができると共に、連結アーム１６と基台３との間に接着剤ＵＶ
を充填して該連結アーム１６を基台３に固定することにより、対物レンズＯＬの中心Ｏ１
をレーザ光の光軸Ｏ２に一致させた状態を確実に保持することができる。
【図面の簡単な説明】
【００２５】
【図１】本発明の第１の実施の形態である光ピックアップを示す一部切欠き平面図である。
【図２】図１のＡ−Ａ矢視図である。
【図３】図１のＢ−Ｂ矢視図である。
【図４】同要部の斜視図である。
【図５】本発明の第２の実施の形態である光ピックアップを示す斜視図である。
【図６】従来例を示す平面図である。
【図７】図６のＣ−Ｃ矢視図である。
【図８】図６のＤ−Ｄ矢視図である。
【符号の説明】
【００２６】
１        光ピックアップ本体
２        シャフト
３        基台
３ｂ      ストッパ片
６        フォーカスコイル
７        トラッキングコイル
８        レンズホルダ
８ａ      レンズホルダのボス部
９        永久磁石
１０      磁性体
１２      連結板
１２ｄ    操作片
１４      弾性リンク機構
１５      枢着軸
１６      連結アーム
ＯＬ      対物レンズ
ＱＷＰ    コリメータレンズ
Ｄ        ディスク
ＵＶ      紫外線硬化性接着剤
Ｏ１      対物レンズの中心
Ｏ２      レーザ光の光軸
ａ，ｂ    フォーカス方向
ｃ，ｄ    トラッキング方向
【図１】
2005092998.tif 000003
【図２】
2005092998.tif 000004
【図３】
2005092998.tif 000005
【図４】
2005092998.tif 000006
【図５】
2005092998.tif 000007
【図６】
2005092998.tif 000008
【図７】
2005092998.tif 000009
【図８】
2005092998.tif 000010